(57)【要約】【課題】簡易な構造で、粉塵の飛散、騒音の漏れ、および雨水の浸入を防止できる構造物を提供すること。【解決手段】仮設構造物１は、外周足場１０および折板屋根２０を備える。折板屋根２０と外周足場１０との間には、開口２１が形成されており、外周足場１０には、折板屋根２０の屋根面２０Ａよりも上方まで延びる延出部３１と、この延出部３１から略水平に延びて開口２１を覆う庇部３２と、が設けられる。本発明によれば、庇部３２の先端と折半屋根２０との隙間が換気口３５となり、開口２１から換気口３５までの経路Ｓは、折り返した経路となる。したがって、簡易な構造で、粉塵の飛散、騒音の漏れ、および雨水の浸入を防止できる。【選択図】図３
2015117473.tif 000002
【特許請求の範囲】
【請求項１】
壁および屋根を備え、
前記屋根と壁との間には、開口が形成されており、
前記壁には、前記屋根の屋根面よりも上方まで延びる延出部と、当該延出部から略水平に延びて前記開口を覆う庇部と、が設けられることを特徴とする構造物。
【請求項２】
前記屋根のうち前記庇部の直下でかつ前記開口の近傍には、立ち上がり部が設けられることを特徴とする請求項１に記載の構造物。
【請求項３】
前記壁には、前記開口から前記構造物の内部空間に空気を送る給気装置が設けられることを特徴とする請求項１または２に記載の構造物。
【請求項４】
前記壁は、複数段の枠組足場と、当該枠組足場の外側を覆う防音パネルと、を備え、
前記給気装置は、前記枠組足場に設けられることを特徴とする請求項３に記載の構造物。
【発明の詳細な説明】
【技術分野】
【０００１】
本発明は、例えば、閉鎖型の構造物に関する。
【背景技術】
【０００２】
従来より、廃棄物の処分場や、建物の新築・解体工事の工事現場など、作業エリアを覆う閉鎖型の構造物が提案されている。（特許文献１参照）。
【０００３】
例えば、建物の新築工事では、以下のような閉鎖型の仮設構造物が提案されている（特許文献１参照）。この仮設構造物は、セルフクライミング機構を備えた複数のタワークレーンマストと、このセルフクライミング機構同士の間に架設された受梁と、この受梁の上に設けられた仮設屋根と、を備える。この仮設屋根は、屋根フレームと、この屋根フレームに張られた屋根シートと、を備える。
【０００４】
このような構造物によれば、全天候環境下で作業できるうえに、日射を抑制できるので、作業環境が向上し、作業効率を向上できる。また、内部の粉塵が外部に飛散しないので、近隣の環境に与える影響を小さくできる。
【０００５】
また、この閉鎖型の構造物の内部空間では、作業員や重機により作業が行われている。そこで、作業員に新鮮空気を供給したり、重機の駆動に伴って発生する粉塵、騒音、排気ガス、排熱等を外部に排出したりして、内部空間の作業環境を確保する換気設備が必要となる。
そこで、特許文献１に記載の仮設構造物では、屋根シートの一部を巻き取ることで、仮設屋根の一部に開口を設けて、この開口を通して自然換気により換気を行うようになっている。
【先行技術文献】
【特許文献】
【０００６】
【特許文献１】特開平７−８２８９７号公報
【発明の概要】
【発明が解決しようとする課題】
【０００７】
しかしながら、屋根面に開口を設けて換気を行うと、この開口を通して粉塵が外部に飛散したり騒音が漏れたりする場合があるうえに、この開口を通して雨水が浸入するおそれがあった。また、開閉機構を設ける必要があるため、仮設コストが高くなるうえに、開閉作業に手間がかかる、という問題があった。
【０００８】
本発明は、簡易な構造で、粉塵の飛散、騒音の漏れ、および雨水の浸入を防止できる構造物を提供することを目的とする。
【課題を解決するための手段】
【０００９】
請求項１に記載の構造物（例えば、後述の仮設構造物１）は、壁（例えば、後述の外周足場１０）および屋根（例えば、後述の折板屋根２０）を備え、前記屋根と壁との間には、開口（例えば、後述の開口２１）が形成されており、前記壁には、前記屋根の屋根面（例えば、後述の屋根面２０Ａ）よりも上方まで延びる延出部（例えば、後述の延出部３１）と、当該延出部から略水平に延びて前記開口を覆う庇部（例えば、後述の庇部３２）と、が設けられることを特徴とする。
【００１０】
この発明によれば、庇部の先端と屋根との隙間が換気口となり、開口から換気口までの経路は、折り返した経路となる。よって、開口を覆うように庇部を設けたので、雨が開口から内部に浸入するのを防止できる。また、よって、多くの粉塵がこの経路の途中で捕集されるから、粉塵が換気口から外部に飛散するのを防止できる。また、騒音がこの経路を通過することで反射や回折により減衰されるので、騒音減衰性能を発揮して、騒音が換気口から外部に漏れるのを防止できる。したがって、簡易な構造で、粉塵の飛散、騒音の漏れ、および雨水の浸入を防止できる。
【００１１】
換気口が屋根の内側に向いているので、換気口から騒音が漏れる方向あるいは粉塵が飛散する方向は、屋根の内側つまり近隣とは反対方向となる。したがって、騒音や粉塵が近隣に到達するのをより確実に防止できる。
【００１２】
構造物の内部空間は、外部の風の影響を受けにくく、気流が静穏であるため、暖かい空気が内部空間を上昇して、内部空間上部ほど高温な温度の層が形成され、構造物の屋根の近傍が最も高温な熱気だまりとなる。
そこで、開口および換気口を壁の上端つまり構造物の最も高い位置に設けた。よって、外部の風の強弱によらず、内部空間上部の高温な空気と外気との温度差による自然換気が行われるから、構造物の内部空間で重機や設備機器が駆動しても、これら重機や設備機器からの排熱や排気ガスを自然に排出できる。
【００１３】
請求項２に記載の構造物は、前記屋根のうち前記庇部の直下でかつ前記開口の近傍には、立ち上がり部（例えば、後述の立ち上がり部３４）が設けられることを特徴とする。
【００１４】
この発明によれば、開口の近傍に立ち上がり部を設けたので、雨水が屋根面を流れて開口から内部空間に浸入するのを防止できる。
【００１５】
請求項３に記載の構造物は、前記壁には、前記開口から前記構造物の内部空間に空気を送る給気装置（例えば、後述の給気装置４０）が設けられることを特徴とする。
【００１６】
内部空間において溶接作業や重機作業を行う場合、排気ガスが局所的に発生するため、給気が必要となることが多いが、この発明によれば、給気装置により、このような局所的に発生した排気ガスを確実に外部に排出できる。
【００１７】
また、給気装置についても、折り返し構造による騒音減衰機能および雨水浸入防止機能が有効に機能する。したがって、給気装置に消音装置を設ける必要がなくなり、コストを低減できる。
【００１８】
請求項４に記載の構造物は、前記壁は、複数段の枠組足場（例えば、後述の枠組足場１１）と、当該枠組足場の外側を覆う防音パネル（例えば、後述の防音パネル１２）と、を備え、前記給気装置は、前記枠組足場に設けられることを特徴とする。
【００１９】
この発明によれば、枠組足場に給気装置を設置したので、給気装置を枠組足場と一体に移動できるから、給気装置を内部空間の床面に設置する必要がなく、給気装置の盛替作業の手間を軽減できる。
【発明の効果】
【００２０】
本発明によれば、庇部の先端と屋根との隙間が換気口となり、開口から換気口までの経路は、折り返した経路となる。よって、開口を覆うように庇部を設けたので、雨が開口から内部に浸入するのを防止できる。また、よって、多くの粉塵がこの経路の途中で捕集されるから、粉塵が換気口から外部に飛散するのを防止できる。また、騒音がこの経路を通過することで反射や回折により減衰されるので、騒音減衰性能を発揮して、騒音が換気口から外部に漏れるのを防止できる。したがって、簡易な構造で、粉塵の飛散、騒音の漏れ、および雨水の浸入を防止できる。
【図面の簡単な説明】
【００２１】
【図１】本発明の一実施形態に係る仮設構造物の縦断面図である。
【図２】図１のＩ−Ｉ横断面図である。
【図３】前記実施形態に係る仮設構造物の縦断面図である。
【図４】前記実施形態に係る仮設構造物の給気エリアの縦断面図である。
【図５】前記実施形態に係る仮設構造物の給気エリアの斜視図である。
【図６】前記実施形態に係る仮設構造物の機能を説明するための縦断面図（その１）である。
【図７】前記実施形態に係る仮設構造物の機能を説明するための縦断面図（その２）である。
【図８】本発明の変形例に係る仮設構造部の縦断面図である。
【図９】本発明の別の変形例に係る仮設構造部の縦断面図である。
【発明を実施するための形態】
【００２２】
以下、本発明の一実施形態について、図面を参照しながら説明する。
図１は、本発明の一実施形態に係る仮設構造物１の縦断面図である。図２は、図１のＩ−Ｉ横断面図である。
仮設構造物１は、既存建物２の解体に用いられるものである。具体的には、図１中白抜き矢印で示すように、仮設構造物１を下降させながら、この仮設構造物１の内部空間３で重機４を駆動して解体作業を行う。
【００２３】
この仮設構造物１は、既存建物２の外周に沿って設けられた壁としての外周足場１０と、この外周足場１０に支持される屋根としての折板屋根２０と、外周足場１０の上部に設けられた換気部３０と、を有する。
外周足場１０は、複数段の枠組足場１１と、この枠組足場１１の外側を覆う防音パネル１２と、を備える。
折板屋根２０は、矩形状であり、外周足場１０の枠組足場１１の内側面まで延びている。これにより、折板屋根２０の外縁と外周足場１０の防音パネル１２との間には、開口２１が形成される。つまり、この開口２１は、折板屋根２０の外周に沿って形成されることになる。
【００２４】
開口２１は、間仕切り２２により、給気エリア２１Ａと排気エリア２１Ｂとに仕切られている。この給気エリア２１Ａは、折板屋根２０の長辺の２箇所および短辺の１箇所に設けられており、残りの部分は、排気エリア２１Ｂとなっている。なお、これら給気エリア２１Ａの位置については、特に限定されず、任意に設定されてよい。
【００２５】
図３は、仮設構造物１の縦断面図である。
換気部３０は、防音パネル１２から折板屋根２０の屋根面２０Ａよりも上方まで延びる延出部３１と、この延出部３１から略水平に内側に向かって延びて開口２１を覆う庇部３２と、この庇部３２の先端から下方に延びる垂れ壁部３３と、を備える。
【００２６】
折板屋根２０の屋根面２０Ａのうち庇部３２の直下には、立ち上がり部３４が設けられる。ここで、垂れ壁部３３と折板屋根２０の屋根面２０Ａとの隙間を、換気口３５とすると、この換気口３５は、折板屋根２０の中央部に向かって開放されている。
【００２７】
これにより、開口２１から換気口３５に至る経路Ｓは、以下のようになる。すなわち、図３中矢印で示すように、開口２１から上昇して庇部３２に突き当たり、次に、この庇部３２に沿って水平移動し、垂れ壁部３３に突き当たって下降する。その後、屋根面２０Ａに沿って水平移動して、換気口３５に至る。このように、開口２１から換気口３５に至るまで、二度折り返した経路となる。
【００２８】
図４は、仮設構造物１の給気エリア２１Ａの縦断面図である。図５は、給気エリア２１Ａの斜視図である。
給気エリア２１Ａでは、外周足場１０の枠組足場１１には、開口２１から内部空間３の重機４付近まで延びる給気装置４０が取り付けられている。この開口２１は、塞ぎ材２３で塞がれている。
【００２９】
給気装置４０は、開口２１付近の空気を吸い込んで、重機４の近傍に吹き出すものである。この給気装置４０は、送風機４１と、この送風機４１から開口２１に至る一次側ダクト４２と、送風機４１から重機４の近傍に至るフレキシブルダクトである二次側ダクト４３と、を備える。一次側ダクト４２の先端は、開口２１から上方に突出している。
【００３０】
本実施形態によれば、以下のような効果がある。
（１）開口２１を覆うように庇部３２を設け、この庇部３２の先端に垂れ壁部３３を設けたので、開口２１から換気口３５までの経路Ｓは、二度折り返した経路となる。
よって、図６に示すように、雨Ａが換気口３５に降り注いでも、この雨Ａが開口２１から内部空間３に浸入するのを防止できる。また、開口２１の内側に立ち上がり部３４を設けたので、雨水が屋根面を流れて開口から内部空間に浸入するのを防止できる。また、図６に示すように、粉塵Ｂの多くが経路の途中の枠組足場１１上に捕集されるから、粉塵が換気口３５から外部に飛散するのを防止できる。また、図７に示すように、騒音Ｃがこの経路を通過することで反射や回折により減衰されるので、騒音減衰性能を発揮して、騒音が換気口３５から外部に漏れるのを防止できる。
したがって、簡易な構造で、粉塵の飛散、騒音の漏れ、および雨水の浸入を防止できる。
【００３１】
（３）換気口３５が折板屋根２０の内側に向いているので、換気口３５から騒音が漏れる方向あるいは粉塵が飛散する方向は、折板屋根２０の内側つまり近隣とは反対方向となる。したがって、騒音や粉塵が近隣に到達するのをより確実に防止できる。
【００３２】
（４）開口２１および換気口３５を防音パネル１２の上端つまり仮設構造物１の最も高い位置に設けた。よって、外部の風の強弱によらず、内部空間上部の高温な空気と外気との温度差による自然換気が行われるから、仮設構造物１の内部空間で重機を駆動しても、これら重機や設備機器からの排熱や排気ガスを自然に排出できる。
【００３３】
（５）枠組足場１１に、給気エリア２１Ａの開口２１から内部空間３に空気を送る給気装置４０を取り付けた。
内部空間３において溶接作業や重機作業を行う場合、排気ガスが局所的に発生するため、給気が必要となることが多いが、この給気装置４０により、このような局所的に発生した排気ガスを確実に外部に排出できる。
【００３４】
（６）給気装置４０の一次側ダクト４２を開口２１まで延ばしたので、給気装置４０についても、折り返し構造による騒音減衰機能および雨水浸入防止機能が有効に機能する。したがって、給気装置４０の一次側ダクト４２内に消音装置を設ける必要がなくなり、コストを低減できる。
【００３５】
（７）枠組足場１１に給気装置４０を設置したので、給気装置４０を枠組足場１１と一体に移動できるから、給気装置４０を内部空間３の床面に設置する必要がなく、給気装置４０の盛替作業の手間を軽減できる。
【００３６】
（８）二次側ダクト４３をフレキシブルダクトとしたので、局所的に新鮮空気が必要な箇所については、この二次側ダクトを所望の位置まで延ばして対応できる。
【００３７】
（９）折板屋根２０を外周足場１０の枠組足場１１の内壁面までとしたので、折板屋根２０を切断加工して開口を形成する必要がなく、施工手間を軽減できる。
【００３８】
なお、本発明は前記実施形態に限定されるものではなく、本発明の目的を達成できる範囲での変形、改良等は本発明に含まれるものである。
例えば、本実施形態では、開口２１から換気口３５までの経路Ｓを二度折り返した経路としたが、これに限らず、一度だけ折り返した経路としてもよいし、三度以上折り返した経路としてもよい。
【００３９】
具体的には、例えば、図８に示すように、換気部３０Ａには、垂れ壁部を設けず、また、折板屋根２０に立ち上がり部を設けていない。このようにすれば、一度折り返した経路となる。
また、図９に示すように、換気部３０Ｂに、庇部３２から略水平に延びる第２の庇部３６と、この第２の庇部３６の先端から下方に延びる第２の垂れ壁部３７を設けて、折板屋根２０に第２の立ち上がり部３８を設ける。このようにすれば、四度折り返した経路となる。
【００４０】
また、本実施形態では、仮設構造物１を既存建物２の解体工事に用いたが、これに限らず、仮設構造物を新築工事に用いて、仮設構造物を上昇させながら建物を構築してもよい。また、本発明の構造物を廃棄物処理場に適用してもよい。
【符号の説明】
【００４１】
Ａ…雨
Ｂ…粉塵
Ｃ…騒音
Ｓ…経路
１…仮設構造物
２…既存建物
３…内部空間
４…重機
１０…外周足場（壁）
１１…枠組足場
１２…防音パネル
２０…折板屋根（屋根）
２０Ａ…屋根面
２１…開口
２１Ａ…給気エリア
２１Ｂ…排気エリア
２２…間仕切り
２３…塞ぎ材
３０、３０Ａ、３０Ｂ…換気部
３１…延出部
３２…庇部
３３…垂れ壁部
３４…立ち上がり部
３５…換気口
３６…第２の庇部
３７…第２の垂れ壁部
３８…第２の立ち上がり部
４０…給気装置
４１…送風機
４２…一次側ダクト
４３…二次側ダクト
【図１】
2015117473.tif 000003
【図２】
2015117473.tif 000004
【図３】
2015117473.tif 000005
【図４】
2015117473.tif 000006
【図５】
2015117473.tif 000007
【図６】
2015117473.tif 000008
【図７】
2015117473.tif 000009
【図８】
2015117473.tif 000010
【図９】
2015117473.tif 000011